(57)【要約】【課題】リモコンを用いることで、センサライト本体とは離れた位置においてもセンサライトの動作状況を把握する。【解決手段】人体検知センサ１１からの信号に基づき検知エリア内への侵入物の侵入を検知した場合に、前記検知エリアを照明するランプ１７を点灯するセンサライト本体１Ａと、センサライト本体１Ａとは離れた位置でセンサライト本体１Ａのランプ１７の点灯・消灯を制御可能であるリモコン１Ｂとを備える。センサライト本体１Ａは、人体検知センサ１１が侵入を検知した場合に、リモコン１Ｂに対し侵入検知信号を送信する。リモコン１Ｂは、前記侵入検知信号を受信したときに人体検知用のアラーム灯３４を点灯し、パニック信号を送信したときにパニック動作用のアラーム灯３５を点灯する。【選択図】  図１
2008040863.tif 000002
【特許請求の範囲】
【請求項１】
検知エリア内への侵入物の侵入を検知する侵入検知手段を備え前記侵入検知手段からの信号に基づき、前記検知エリア内への侵入物の侵入を検知した場合に第１の制御手段によって前記検知エリアを照明するランプを点灯するセンサライト本体と、前記センサライト本体とは離れた位置で前記センサライト本体のランプの点灯・消灯を制御可能であるリモコンとを備えるものであり、
前記センサライト本体は、さらに、前記第１の制御手段に電気的に連係され前記リモコンとの間で信号を送受信する第１の通信手段を備え、前記侵入検知手段が前記検知エリア内への侵入物の侵入を検知した場合に、前記リモコンに対し侵入検知信号を送信する構成とされ、
前記リモコンは、アラーム灯と、前記センサライト本体との間で信号を送受信する第２の通信手段と、この第２の通信手段に連係され前記侵入検知信号を受信したときに前記アラーム灯を点灯する第２の制御手段とを備えることを特徴とする遠隔制御型センサライトシステム。
【請求項２】
前記センサライト本体は、さらに、第１のスピーカ手段を有し、
前記第１の制御手段は、前記検知エリア内への侵入物の侵入を検知した場合に前記ランプの点灯に加えて、前記第１のスピーカ手段を通じての警報音の発生が可能である一方、  前記第２の制御手段は、前記第１のスピーカ手段より警報音を出力させるパニック信号を前記第２の通信手段を介して前記センサライト本体に対し送信可能である構成とされ、
前記第１の制御手段は、前記パニック信号を前記第１の通信手段が受信すると、前記第１のスピーカ手段より警報音を出力させる構成とされていることを特徴とする請求項１記載の遠隔制御型センサライトシステム。
【請求項３】
前記リモコンは、音声を入力できる第１のマイク手段を備え、前記第２の制御手段は、前記第２の通信手段によって、前記第１のマイク手段を通じて入力された音声を、音声信号として前記第１の通信手段に送信可能である構成とされ、
前記第１の制御手段は、前記第１の通信手段が前記音声信号を受信したとき、前記第１のスピーカ手段より前記音声を出力させる構成とされていることを特徴とする請求項１または２記載の遠隔制御型センサライトシステム。
【請求項４】
前記センサライト本体は、音声を入力できる第２のマイク手段を備え、前記侵入検知手段が侵入物を検知したときに、前記侵入検知信号の送信に加えて、前記第２のマイク手段を用いて通話可能な状態にされる一方、
前記リモコンは、前記侵入検知信号を受信したときに、前記第１のマイク手段を用いて通話可能な状態にされることを特徴とする請求項３記載の遠隔制御型センサライトシステム。
【請求項５】
前記センサライト本体は、周囲の照度が一定値以下になったことを検知する照度検知手段を備え、
前記第１の制御手段は、前記照度検知手段からの信号を受け、周囲の照度が一定値以下になったとき、前記ランプを点灯する構成とされていることを特徴とする請求項１〜４のいずれかに記載の遠隔制御型センサライトシステム。
【請求項６】
前記リモコンは、前記センサライト本体のランプを強制的に点灯させる点灯ボタンと、前記ランプを強制的に消灯させる消灯ボタンとを有することを特徴とする請求項１〜５のいずれかに記載の遠隔制御型センサライトシステム。
【発明の詳細な説明】
【技術分野】
【０００１】
本発明は、遠隔制御型センサライトシステムに関するものである。
【背景技術】
【０００２】
一般に、センサライトは、人体検知センサと照度センサとの２個のセンサにより、ライトの点灯・消灯を自動的に行う機能を有し、例えば、照度センサにより夕方等において照度が一定値以下になったことが検知され、人体検知センサによりそれの検知エリア内に人が侵入したことが検知されると、一定時間の間ランプが自動点灯し、一定時間経過すると、ランプが自動消灯するようになっている（例えば、特許文献１、２参照）。
【０００３】
具体的には、図５に示すように、人体検知センサ１０１、照度センサ１０２からの信号が増幅器１０３，１０４を介してマイクロコンピュータ１０５に送信され、前述したような条件を満たした場合に、ランプ制御回路１０６を通じてランプ１０７を点灯させたり、音声ＲＯＭ１０８に記憶されている特定の音声を選択して、切替スイッチ１０９および増幅器１１０を介してスピーカ１１１から前記特定の音声を出力したりするようになっている。
【０００４】
また、ランプ点灯時に警報音、来客チャイム、メッセージを報知する機能を有するものもある（例えば、特許文献３参照）。
【特許文献１】特開平１０−１４４１３４号公報（段落０００９および図１）
【特許文献２】特開平１０−１７２７７０号公報（段落００１４および図３、図４）
【特許文献３】特開２００２−７７４２２号公報（第２頁および図１）
【発明の開示】
【発明が解決しようとする課題】
【０００５】
しかしながら、前述したところのセンサライトの機能は、所定の場所に一旦取り付けられると、すべてセンサライトの機器本体側で自動的に制御されるので、ユーザーが離れた位置にいるときには、センサライトの動作状況を把握したりセンサライトの動作を制御したりすることができないのが現状である。
【０００６】
この発明は、リモコンを用いることで、センサライト本体とは離れた位置においてもセンサライトの動作状況を把握できる遠隔制御型センサライトシステムを提供することを目的とする。
【課題を解決するための手段】
【０００７】
請求項１の発明は、検知エリア内への侵入物の侵入を検知する侵入検知手段を備え前記侵入検知手段からの信号に基づき、前記検知エリア内への侵入物の侵入を検知した場合に第１の制御手段によって前記検知エリアを照明するランプを点灯するセンサライト本体と、前記センサライト本体とは離れた位置で前記センサライト本体のランプの点灯・消灯を制御可能であるリモコンとを備えるものであり、前記センサライト本体は、さらに、前記第１の制御手段に電気的に連係され前記リモコンとの間で信号を送受信する第１の通信手段を備え、前記侵入検知手段が前記検知エリア内への侵入物の侵入を検知した場合に、前記リモコンに対し侵入検知信号を送信する構成とされ、前記リモコンは、アラーム灯と、前記センサライト本体との間で信号を送受信する第２の通信手段と、この第２の通信手段に連係され前記侵入検知信号を受信したときに前記アラーム灯を点灯する第２の制御手段とを備えることを特徴とする。
【０００８】
このようにすれば、侵入検知手段が検知エリア内への侵入物の侵入を検知した場合に、センサライト本体からリモコンに対し侵入検知信号が送信され、リモコンのアラーム灯が点灯するので、ユーザーがセンサライト本体から離れた位置にいる場合にも、リモコンにおけるアラーム灯の点灯により検知エリア内へ侵入物（例えば侵入者）の侵入があったことが直ちにわかる。このように、リモコンを用いることで、センサライト本体とは離れた位置においてもセンサライトの動作状況を把握することができる。
【０００９】
請求項２に記載のように、前記センサライト本体は、さらに、第１のスピーカ手段を有し、前記第１の制御手段は、前記検知エリア内への侵入物の侵入を検知した場合に前記ランプの点灯に加えて、前記第１のスピーカ手段を通じての警報音の発生が可能である一方、前記第２の制御手段は、前記第１のスピーカ手段より警報音を出力させるパニック信号を前記第２の通信手段を介して前記センサライト本体に対し送信可能である構成とされ、前記第１の制御手段は、前記パニック信号を前記第１の通信手段が受信すると、前記第１のスピーカ手段より警報音を出力させる構成とすることができる。
【００１０】
このようにすれば、前記検知エリア内への侵入者などの侵入を検知した場合に、前記ランプの点灯に加えて、第１のスピーカ手段を通じての警報音の発生により侵入者などを威嚇することができる。
【００１１】
請求項３に記載のように、前記リモコンは、音声を入力できる第１のマイク手段を備え、前記第２の制御手段は、前記第２の通信手段によって、前記第１のマイク手段を通じて入力された音声を、音声信号として前記第１の通信手段に送信可能である構成とされ、前記第１の制御手段は、前記第１の通信手段が前記音声信号を受信したとき、前記第１のスピーカ手段より前記音声を出力させる構成とすることも可能である。
【００１２】
このようにすれば、リモコン側からの音声を入力して、その音声を、第１のスピーカ手段より出力させることで、侵入者があった場合などにおいて、音声により威嚇することができる。
【００１３】
この場合、請求項４に記載のように、前記センサライト本体は、音声を入力できる第２のマイク手段を備え、前記侵入検知手段が侵入物を検知したときに、前記侵入検知信号の送信に加えて、前記第２のマイク手段を用いて通話可能な状態にされる一方、前記リモコンは、前記侵入検知信号を受信したときに、前記第１のマイク手段を用いて通話可能な状態にされるようにしてもよい。
【００１４】
このようにすれば、前記侵入検知手段が侵入物を検知したときに、センサライト本体側とリモコン側での通話が可能となる。
【００１５】
請求項５に記載のように、前記センサライト本体は、周囲の照度が一定値以下になったことを検知する照度検知手段を備え、前記第１の制御手段は、前記照度検知手段からの信号を受け、周囲の照度が一定値以下になったとき、前記ランプを点灯する構成とすることができる。
【００１６】
このようにすれば、センサライト本体の周囲の照度が一定値以下になったとき、前記ランプを点灯することで、検知エリアを照明することができる。
【００１７】
請求項６に記載のように、前記リモコンは、前記センサライト本体のランプを強制的に点灯させる点灯ボタンと、前記ランプを強制的に消灯させる消灯ボタンとを有する構成とすることが望ましい。
【００１８】
このようにすれば、検知エリア内への侵入物の侵入の有無、あるいは周囲の照度にかかわらず、リモコン側の点灯ボタンで強制的に点灯できるし、消灯ボタンにて強制的に消灯できる。
【発明の効果】
【００１９】
以上のように、本発明は、侵入検知手段が検知エリア内への侵入物の侵入を検知した場合に、リモコンのアラーム灯が点灯するようにしているので、ユーザーがセンサライト本体から離れた位置にいても、検知エリア内へ侵入物（例えば侵入者）の侵入があったことを直ちに知ることができる。
【発明を実施するための最良の形態】
【００２０】
以下、本発明の実施の形態を図面に沿って説明する。
【００２１】
図１は本発明の一実施の形態に係る遠隔制御型センサライトシステムの概略構成を示し、図１（ａ）は前記システムのシステム本体側のブロック図、図１（ｂ）はリモコン側のブロック図、図２は同システムのリモコンの正面図である。
【００２２】
図１（ａ）（ｂ）に示すように、遠隔制御型センサライトシステムは、センサライト本体１Ａと、携帯用のリモコン１Ｂとを有する。
【００２３】
センサライト本体１Ａは、図１（ａ）に示すように、人体検知センサ１１（侵入検知手段）、照度センサ１２（照度検知手段）からの信号が増幅器１３，１４を介してマイクロコンピュータ１５（第１の制御手段）に送信される。そして、例えば、照度センサ１２により夕方等において照度が一定値以下になったことが検知されたり、人体検知センサ１１によりそれの検知エリア内に侵入物(例えば、侵入者）が侵入したことが検知された場合に、ランプ制御回路１６を通じてハロゲンランプなどのランプ１７を、予め設定された条件の下で自動的に点灯させたり消灯させたりするように構成されている。また、ランプ１７の点灯と並んで、音声ＲＯＭ１８に記憶されている特定の音声を選択し、切替スイッチ１９および増幅器２０を介してスピーカ２１（第１のスピーカ手段）から前記特定の音声を出力することができるようにもなっている。
【００２４】
さらに、人体検知センサ１１の検知エリア内に人が侵入したことが検知された場合には、送受信機２２（第１の通信手段）から、アンテナ２３を通じて、リモコン１Ｂに侵入検知信号が送信されるようになっている。送受信機２２には、増幅部２４を介してマイク２５（第２のマイク手段）が接続されている。
【００２５】
リモコン１Ｂの操作部は、図２に示すように、上部中央にスピーカ３２が、下部にマイク３３、並びに人体検知およびパニック動作用のアラーム灯３４，３５（ＬＥＤ等）がそれぞれ設けられている。そしてそれらの中間部に、点灯ボタン３６、消灯ボタン３７、モニターボタン３８、通話ボタン３９、パニックボタン４０および解除ボタン４１が規則的に配置されている。なお、点灯ボタン３６、消灯ボタン３７、モニターボタン３８、通話ボタン３９、パニックボタン４０あるいは解除ボタン４１を押すことにより、強制点灯信号、強制消灯信号、モニター信号、通話信号、パニック信号あるいは解除信号がセンサライト本体１Ａに送信される。
【００２６】
リモコン１Ｂの具体的な構成は、図１（ｂ）に示すように、アンテナ４２を有する送受信機４３（第２の通信手段）とマイクロコンピュータ４４（第２の制御手段）とを備え、センサライト本体１Ａから離れた位置で、必要時にリモコン１Ｂの点灯ボタン３６及び消灯ボタン３７により、ランプ１７を点灯させたり消灯させたりできるように構成されている。また、音声ＲＯＭ４７に記憶されている特定の音声を選択し、切替スイッチ４８および増幅器４９を介してスピーカ３２から前記特定の音声を出力したり、表示装置５１においてＬＥＤ等のランプ（図示せず）を点灯させることができるようにもなっている。なお、リモコン１Ｂにおいても、送受信機４３には、増幅部５３を介してマイク５４（第１のマイク手段）が接続されている。
【００２７】
上記のシステムによれば、センサライト本体１Ａは、通常時は、人体検知センサ１１と照度センサ１２の両機能が作動している待機状態にあるのは従来と同様であるが、それに加えてリモコン１Ｂからの信号を受信するための受信機能が作動している状態で待機している。一方、リモコン１Ｂ側も、センサライト本体１Ａからの信号を受信するための受信機能が作動している状態で待機している。受信機能は、電池を電源にする場合には、省電力化のために間欠動作を行うことができる。
【００２８】
人体検知センサ１１および照度センサ１２よりの信号にもとづき、人体検知センサ１１の検知エリア内に侵入者があり照度が設定値以下であれば、設定時間の間だけランプ１７が点灯し、その後自動的に消灯する。
【００２９】
人体検知センサ１１の検知エリア内に侵入者があると、照度センサ１２よりの信号に関係なく、侵入者検知信号がリモコン１Ｂに送信される。この信号をリモコン１Ｂが受信すると、アラーム音を発報すると同時に人体検知用のアラーム灯３４が点灯して、ユーザーの注意を喚起する。リモコン１Ｂのモニターボタン３８を押すと、センサライト本体１Ａ側のマイク２５が作動して、そのマイク周囲の音声を集音して、スピーカ３２を通じて聞くことができる。
【００３０】
通話ボタン３９を押すと、センサライト本体１Ａ側のスピーカ２１及びマイク２５とリモコン１Ｂ側のスピーカ３２及びマイク５４を用いて、センサライト本体１Ａとリモコン１Ｂとの間で、通話が可能になる。例えば、通話ボタン３９を押して、「どなたです？」との呼びかけに対し、「お父さんです」などの家族あるいは「宅配便です」等の不審者でない反応が返ってこないとき、「どなたですか？警察を呼びますよ」等の威嚇的言葉を投げかけると同時に、パニックボタン４０を押すと、警報音の鳴動とランプ１７のフラッシング機能が作動し、不審者を撃退する手段として使用できる。なお、解除ボタン４１を押すと、待機状態に戻る。
【００３１】
パニックボタン４０を押すことでセンサライト本体１Ａより警報音が鳴動し、ランプ１７がフラッシングするので、住居内での火災、不審者の侵入などの異常事態が発生したときに戸外の人や近所の人に救助を求めることができる。また、通話ボタン３９を押すと、センサライト本体１Ａとリモコン１Ｂとの間での通話が可能となり、住居内の状態を戸外に向かって呼びかけることも可能となる。待機中または自動点灯中に点灯ボタン３６を押すと点灯し、消灯ボタン３７を押すまで点灯状態を維持するが、パニックボタン４０が押されるパニック状態中は機能しない構成とされている。
【００３２】
データ・音声を送受信可能である送受信機２２を内蔵したセンサライト本体１Ａと、このセンサライト本体１Ａを遠隔制御するために、同様の送受信機４３を内蔵する携帯型リモコン１Ｂとの組み合わせで、本システムは次のような効果(i)〜(iv)を奏する。
(i)屋内でのガス漏れや火災の発生、不審者の侵入などの場合に、リモコン１Ｂのパニックボタン４０を押すことで、屋外に設置しているセンサライト本体１Ａのスピーカ２１より警報音が発生し、注意を喚起させることができる。このとき、リモコン１Ｂのパニック動作用のアラーム灯３５が点灯する。
(ii)前記(i)の状態で通話ボタン３９を押すと、警報音から音声に切り替わって、「助けて」「泥棒」などの音声でもって戸外に向けて呼びかけ、救助を求めることができる。
(iii)人体検知センサ１１が侵入者を検知すると、リモコン１Ｂ側でのアラーム音の発生と人体検知用のアラーム灯３４の点灯とで使用者の注意が喚起され、また、リモコン１Ｂとセンサライト本体１Ａとの間で通話ができるので、家族か不審者かの確認を速やかに行うことができる。不審者であれば、威嚇的言葉により撃退することも可能である。
(iv)センサライト本体１Ａのランプ１７を、リモコン１Ｂ側の点灯ボタン３６及び消灯ボタン３７で強制的に点灯したり消灯したりすることができ、夜間、屋外で作業するときに便利である。ただし、この場合には、前記(iii)の機能は停止する。
【００３３】
続いて、本体側（図１参照）における処理の流れについて説明する。
【００３４】
図３に示すように、電源ボタンがＯＮされてスタートすると、まず、受信機能を作動させ（ステップＳ１）、リモコン１Ｂ側の点灯ボタン３６を押すことによる強制点灯信号を受信したか否かが判定される（ステップＳ２）。強制点灯信号を受信していればランプ１７が点灯されて（ステップＳ３）、受信していなければそのまま、ステップＳ４に移行する。
【００３５】
ステップＳ４において、人体検知センサ１１が侵入者を検知したか否かが判定され、侵入者を検知していれば、リモコン１Ｂに人体検知信号を送信する（ステップＳ５）一方、侵入者を検知していなければ、リモコン１Ｂにより、パニック信号を受信したか否かを判定する（ステップＳ６）。
【００３６】
ステップＳ５でリモコン１Ｂに人体検知信号を送信した後、現在強制点灯状態であるか否かを判定し（ステップＳ７）、強制点灯状態であれば、そのまま、ステップＳ８に移行する一方、強制点灯状態でなければ、続けて、照度センサ１２よりの信号により照度が設定値以下であるか否かが判定される（ステップＳ９）。照度が設定値以下であれば、ランプ１７を点灯して（ステップＳ１０）、ステップＳ８に移行する一方、設定値以下でなければ、そのまま、ステップＳ８に移行する。
【００３７】
ステップＳ８においては、リモコン１Ｂよりモニター信号を受信したか否かを判定し、モニター信号を受信した場合には、センサライト本体１Ａのマイク２５で集音した音声を音声信号としてリモコン１Ｂに送信して（ステップＳ１１）、ステップＳ１２に移行する一方、受信していない場合にはそのまま、ステップＳ１２に移行する。
【００３８】
ステップＳ１２においては、リモコン１Ｂより通話信号を受信したか否かを判定し、受信している場合にはリモコン１Ｂとの間の双方向同時通信状態にして（ステップＳ１３)、ステップＳ１４に移行する一方、受信していない場合にはそのままステップＳ１４に移行する。ステップＳ１４においては、リモコン１Ｂによりパニック信号を受信したか否かを判定し、受信していれば、ステップＳ１５に移行する一方、受信していなければ、ステップＳ１６に移行する。
【００３９】
ステップＳ１６において、リモコン１Ｂより解除信号を受信したか否かを判定し、受信している場合にはモニター機能を停止するとともに通話機能を停止し（ステップＳ１７）、ランプ１７を消灯し（ステップＳ１８）、ステップＳ２に戻る。一方、受信していなければ、強制消灯信号を受信したか否かを判定する（ステップＳ１９）。
【００４０】
ステップＳ１９において、受信していれば、直ちにランプ１７を消灯し（ステップＳ１８）、ステップＳ２に戻る。一方、受信していなければ、ランプ点灯設定時間を経過したか否かを判定する（ステップＳ２０）。
【００４１】
ステップＳ２０において、ランプ点灯設定時間を経過していれば、直ちにランプ１７を消灯し（ステップＳ１８）、ステップＳ２に戻る。一方、経過していなければ、ランプ１７を消灯することなく、ステップＳ８に戻る。
【００４２】
一方、リモコン１Ｂによりパニック信号を受信した場合（ステップＳ６、ステップＳ１４)には、ステップＳ１５において、パニック動作−１、パニック動作−２を順に実行する（ステップＳ１５、ステップＳ２１)。つまり、パニック動作−１としては、警報を発報する動作を、パニック動作−２としては照度が設定値以下の場合にランプ１７をフラッシングさせる動作を実行する。
【００４３】
パニック動作−２を実行した後、リモコン１Ｂより通話ボタン長押し信号(通話ボタン３９を一定時間以上押し続けた場合の信号）を受信したか否かを判定し（ステップＳ２２)、通話ボタン長押し信号を受信した場合には、パニック動作−３を実行する一方、受信しない場合には、そのままステップＳ２４に移行する。ここで、パニック動作−３としては、パニック動作−１の警報の発報を停止し、リモコン１Ｂとの間で双方向同時通信が可能な状態とする動作を実行する。
【００４４】
ステップＳ２４においては、リモコンより解除信号を受信したか否かを判定し、受信した場合にはパニック動作−１，２，３を停止して、停止処置信号をリモコン１Ｂに送信して（ステップＳ２５)、ステップＳ２に戻る一方、受信しない場合には、ステップＳ２６に移行する。
【００４５】
ステップＳ２６においては、リモコン１Ｂよりパニック信号を受信してから一定時間経過したか否かを判定し、一定時間経過している場合にはステップＳ２５に移行する一方、経過していない場合にはステップＳ２２に戻る。
【００４６】
次いで、リモコン１Ｂ側での処理の流れを図４に沿って説明する。
【００４７】
スタートすると、受信機能（間欠動作）を作動させ（ステップＳ３１)、センサライト本体１Ａからの送信信号を受信可能な待機状態とし、それから、パニックボタン４０が押されたか否かを判定する（ステップＳ３２)。
【００４８】
パニックボタン４０が押されていれば、パニック信号をセンサライト本体１Ａ側に送信するとともにパニック動作用のアラーム灯３５を点滅する（ステップＳ３３)一方、押されていなければ、ステップＳ３４に移行して、点灯ボタン３６が押されたか否かを判定する。
【００４９】
ステップＳ３４で点灯ボタン３６が押されていれば、強制点灯信号をセンサライト本体１Ａ側に送信し（ステップＳ３５)、ステップＳ３６に移行する一方、押されていなければ、ステップＳ３７に移行して、センサライト本体１Ａより人体検知信号を受信したか否かを判定する。
【００５０】
ステップＳ３６においては、消灯ボタン３７が押されたか否かが判定され、押されていれば、強制消灯信号をセンサライト本体１Ａ側に送信して（ステップＳ３８)、ステップＳ３２に戻る一方、押されていなければ、強制消灯信号を送信することなく、ステップＳ３２に戻る。
【００５１】
また、ステップＳ３７において、人体検知信号を受信していれば、人体検知用のアラーム灯３４を点滅するとともにアラーム音を鳴動させる（ステップＳ３９)一方、受信していなければ、直ちにステップＳ３２に戻る。
【００５２】
ステップＳ３９の処理に続いて、モニターボタン３８が押されたか否かを判定し（ステップＳ４０）、押されていれば、モニター信号をセンサライト本体１Ａ側に送信するとともにセンサライト本体１Ａからの送信信号（音声信号）をリモコン１Ｂ側のスピーカ３２からユーザー（使用者）に報知する（ステップＳ４１)。
【００５３】
ステップＳ４１の処理に続いて、通話ボタン３９が押されたか否かを判定し（ステップＳ４２）、押されていれば、センサライト本体１Ａと双方向同時通話を可能な状態として、ステップＳ４４に移行する（ステップＳ４３)一方、押されていなければ、ステップＳ４０に戻る。
【００５４】
ステップＳ４４においては、解除ボタン４１が押されたか否かを判定し、押されていれば、パニック動作用のアラーム灯３５を消灯し（ステップＳ４５)、ステップＳ３２に戻る一方、押されていなければ、ステップＳ４６に移行して、センサライト本体１Ａよりパニック停止処置信号を受信したか否かを判定する。
【００５５】
ステップＳ４６においては、パニック停止処置信号を受信した場合には、ステップＳ４５に移行する一方、受信していない場合には、ステップＳ４４に戻る。
【００５６】
また、ステップＳ３３の処理の後は、通話ボタン３９が押されたか否かを判定し（ステップＳ４７)、押されていれば、センサライト本体１Ａに通話信号を送信するとともにセンサライト本体１Ａと双方向同時通話可能な状態とし（ステップＳ４８)、ステップＳ４９に移行する一方、押されていなければ、直ちにステップＳ４９に移行する。
【００５７】
ステップＳ４９においては、解除ボタン４１が押されたか否かを判定し、押されていれば、パニック動作用のアラーム灯３４を消灯し（ステップＳ４５)、ステップＳ３２に戻る一方、押されていなければ、ステップＳ５０に移行して、センサライト本体１Ａよりパニック停止処置信号を受信したか否かを判定する。
【００５８】
ステップＳ５０においては、パニック停止処置信号を受信した場合には、ステップＳ４５に移行する一方、受信していない場合には、ステップＳ４７に戻る。
【００５９】
前記実施の形態では、センサライト本体１Ａとリモコン１Ｂとの通信は無線式としているが、有線式とすることも可能である。
【図面の簡単な説明】
【００６０】
【図１】本発明の一実施の形態に係る遠隔制御型センサライトシステムの概略構成を示し、（ａ）は前記システムのシステム本体側のブロック図、（ｂ）はリモコン側のブロック図である。
【図２】同システムのリモコンの正面図である。
【図３−１】前記システム本体側における処理の流れを示すフローチャート図である。
【図３−２】前記システム本体側における処理の流れを示すフローチャート図である。
【図３−３】前記システム本体側における処理の流れを示すフローチャート図である。
【図４−１】前記リモコン側における処理の流れを示すフローチャート図である。
【図４−２】前記リモコン側における処理の流れを示すフローチャート図である。
【図４−３】前記リモコン側における処理の流れを示すフローチャート図である。
【図４−４】前記リモコン側における処理の流れを示すフローチャート図である。
【図５】従来のセンサライトシステムの概略構成を示すブロック図である。
【符号の説明】
【００６１】
１Ａ    センサライト本体
１Ｂ    リモコン
１１    人体検知センサ
１２    照度センサ
１５，４４    マイクロコンピュータ
１７    ランプ
２２    送受信機（第１の通信手段）
２５，３３    マイク
２１，３２    スピーカ
３４    人体検知用のアラーム灯
３５    パニック動作用のアラーム灯
３６    点灯ボタン
３７    消灯ボタン
３８    モニターボタン
３９    通話ボタン
４０    パニックボタン
４１    解除ボタン
４３    送受信機（第２の通信手段）
【図１】
2008040863.tif 000003
【図２】
2008040863.tif 000004
【図３−１】
2008040863.tif 000005
【図３−２】
2008040863.tif 000006
【図３−３】
2008040863.tif 000007
【図４−１】
2008040863.tif 000008
【図４−２】
2008040863.tif 000009
【図４−３】
2008040863.tif 000010
【図４−４】
2008040863.tif 000011
【図５】
2008040863.tif 000012